(57)【要約】【課題】インバータを第１スライダの外部に設けた画像読み取り装置において、原稿を照射する蛍光灯の照度を安定させること。【解決手段】キャビネットは、上面に原稿が載置され、導電体からなる。第１スライダ４は、原稿に光を照射するための蛍光灯４１を内部に含み、かつ、該原稿を走査する。インバータは、キャビネットに設置され、蛍光灯４１に対して電力を供給する。ハーネス１６は、第１スライダ４とインバータとを電気的に接続する配線であって、可撓性材料により被覆されている。絶縁部材１７は、キャビネットの底面とハーネス１６との間に設けられる。第１スライダ４が、原稿を走査する際にハーネス１６の一端を引っ張ることにより、ハーネス１６と絶縁部材１７との接触長さが変化する。【選択図】図４
2008129536.tif 000002
【特許請求の範囲】
【請求項１】
上面に原稿が載置される導電体からなる本体と、
前記原稿に光を照射するためのランプを内部に含み、かつ、該原稿を走査する第１スライダと、
前記本体に設置され、前記ランプに対して電力を供給するインバータと、
前記第１スライダと前記インバータとを電気的に接続する配線であって、可撓性材料により被覆された配線と、
前記本体の底面と前記配線との間に設けられた絶縁部材と、
を備え、
前記配線は、前記絶縁部材上において、二つに折り曲げられて前記原稿の走査方向に延びるように配置され、
前記第１スライダが前記原稿を走査する際に、前記配線の折り曲げられた部分が該第１スライダに追従して移動することにより、該配線と前記絶縁部材との接触長さが変化すること、
を特徴とする画像読み取り装置。
【請求項２】
前記第１スライダに連動して、該第１スライダよりも遅い速度で前記本体内を移動する第２スライダを更に備え、
前記配線は、前記第１スライダよりも走査方向の上流側において前記第２スライダにＵ字状に折り曲げられて掛けられていること、
を特徴とする請求項１に記載の画像読み取り装置。
【請求項３】
前記第１スライダ及び前記第２スライダとは、前記原稿の走査開始時には、略同じ位置から移動を開始し、
前記第２スライダは、前記第１スライダの略半分の速度で、該第１スライダと同じ方向に移動すること、
を特徴とする請求項２に記載の画像読み取り装置。
【請求項４】
前記第２スライダにおいて、前記配線が掛けられた部分は、絶縁性材料により形成されていること、
を特徴とする請求項２又は請求項３のいずれかに記載の画像読み取り装置。
【請求項５】
前記Ｕ字状に折り曲げられた部分が１５ｍｍ以下の円弧を描くこと、
を特徴とする請求項２ないし請求項４のいずれかに記載の画像読み取り装置。
【請求項６】
前記インバータは、上方から見たときに前記第１スライダが通過する領域外に設置されること、
を特徴とする請求項１ないし請求項５のいずれかに記載の画像読み取り装置。
【請求項７】
前記絶縁部材と前記配線との接触長さの変化量は、２００ｍｍであり、
前記配線の太さは、２．５ｍｍ以下であり、
前記配線の被膜の厚さは、０．７ｍｍ以下であり、
前記絶縁部材の厚みが１ｍｍ以上１．５ｍｍ以下であること、
を特徴とする請求項１ないし請求項６のいずれかに記載の画像読み取り装置。
【発明の詳細な説明】
【技術分野】
【０００１】
本発明は、画像読み取り装置に関し、より特定的には、静止状態にある原稿の画像を光学的に読み取る画像読み取り装置に関する。
【背景技術】
【０００２】
近年、ミラースキャンタイプの画像読み取り装置で用いられる光源としては、照度安定性、立ち上がり特性及び効率に優れた希ガス蛍光灯が主流である。この希ガス蛍光灯の点灯には、電源電圧を高周波電圧に変換するためのインバータが必要である。
【０００３】
ところで、前記蛍光灯が適用された画像読み取り装置において、小型化の要求が高まっている。このような要求にこたえるべく、画像読み取りの際に、原稿面を走査する第１スライダに搭載されていた蛍光灯のインバータを第１スライダの外部に設置することが考えられる。より詳細には、画像読み取り装置を上方から見たときに、第１スライダが通過する領域（原稿が載置される領域）外にインバータを設置することが考えられる。これにより、第１スライダを薄型化でき、画像読み取り装置を薄型化できる。
【０００４】
しかしながら、インバータを第１スライダから取り外して薄型化を図った場合、第１スライダが原稿面を走査している間、前記蛍光灯の光量が一定とならないという問題が発生することを本願発明者は発見した。以下に、図１０を参照しながら詳しく説明する。図１０は、インバータ２０１が第１スライダ２０２の外部に設けられた画像読み取り装置の構成を示した図である。図１０には、インバータ２０１と、第１スライダ２０２と、インバータ２０１及び第１スライダ２０２を接続するハーネス２０３と、インバータ２０１及び第１スライダ２０２を格納するキャリッジの底板２０４とが記載されている。
【０００５】
インバータ２０１を第１スライダ２０２の外部に設けた場合、蛍光灯に電力を供給するために、インバータ２０１と第１スライダ２０２とを接続するハーネス２０３が必要となる。ハーネス２０３とは、金属線の周りを可撓性の絶縁材料により被覆した配線である。図１０に示すように、ハーネス２０３は、一端がインバータ２０１に接続され、第１スライダ２０２が走査する走査方向に延びるように底板２０４の上に配置される。そして、該ハーネス２０３は途中でＵ字状に折り曲げられており、その他端は第１スライダ２０２の走査方向の上流側の面２０２ａを介して蛍光灯に接続されている。以上のような構成を有することにより、第１スライダ２０２は、ハーネス２０３を引っ張って、該ハーネス２０３のＵ字状に折り曲げられた部分を走査方向に移動させながら、原稿面を走査できる。
【０００６】
ところで、図１０に示すように、ハーネス２０３は、底板２０４に接触するように配置されている。この底板２０４は、金属板により成形されているので、ハーネス２０３と底板２０４とが接触するとハーネス２０３から底板２０４へと漏電が発生してしまう。そして、図１０に示すように、第１スライダ２０２が移動することにより、ハーネス２０３と底板２０４との接触長さが変動すると、第１スライダ２０２が移動している間において、漏電量が変動してしまう。その結果、第１スライダ２０２の蛍光灯に供給される電力が一定とならず、蛍光灯の照度が不安定なものとなる。
【０００７】
なお、特許文献１には、インバータが第１スライダの外部に設けられた画像読取装置が開示されているが、このインバータは、第１スライダが通過する領域（原稿が載置される領域）内に設けられている。更に、特許文献１では、前記のような蛍光灯の照度の問題については開示されていない。
【特許文献１】特開２００５−１６７７６５号公報
【発明の開示】
【発明が解決しようとする課題】
【０００８】
そこで、本発明の目的は、インバータを第１スライダの外部に設けた画像読み取り装置において、原稿を照射する蛍光灯の照度を安定させることである。
【課題を解決するための手段】
【０００９】
本発明は、上面に原稿が載置される導電体からなる本体と、前記原稿に光を照射するためのランプを内部に含み、かつ、該原稿を走査する第１スライダと、前記本体に設置され、前記ランプに対して電力を供給するインバータと、前記第１スライダと前記インバータとを電気的に接続する配線であって、可撓性材料により被覆された配線と、前記本体の底面と前記配線との間に設けられた絶縁部材と、を備え、前記配線は、前記絶縁部材上において、二つに折り曲げられて前記原稿の走査方向に延びるように配置され、前記第１スライダが前記原稿を走査する際に、前記配線の折り曲げられた部分が該第１スライダに追従して移動することにより、該配線と前記絶縁部材との接触長さが変化すること、を特徴とする。
【００１０】
本発明によれば、配線と本体の底面との間に絶縁部材が設けられているので、配線と絶縁部材との接触長さが変化しても、配線から本体の底面への漏電量は変化しない。従って、原稿を走査している間において、ランプからの光量を一定とすることができ、読み取った画像の画質を向上させることができる。
【００１１】
本発明において、前記第１スライダに連動して、該第１スライダよりも遅い速度で前記本体内を移動する第２スライダを更に備え、前記配線は、前記第１スライダよりも走査方向の上流側において前記第２スライダにＵ字状に折り曲げられて掛けられていることが好ましい。
【００１２】
本発明によれば、第２スライダに配線が掛けられるので、配線が弛むことにより第１スライダや第２スライダの動作が妨げられることを防止できる。
【００１３】
本発明において、前記第１スライダ及び前記第２スライダとは、前記原稿の走査開始時には、略同じ位置から移動を開始し、前記第２スライダは、前記第１スライダの略半分の速度で、該第１スライダと同じ方向に移動することが好ましい。
【００１４】
本発明によれば、第２スライダの速度が第１スライダの速度の半分なので、インバータから第２スライダを経由して第１スライダまでの間の距離を一定とできる。そのため、配線に余分な長さを持たせる必要がなく、配線の長さをできるだけ短く設計することが可能となる。
【００１５】
本発明において、前記第２スライダにおいて、前記配線が掛けられた部分は、絶縁性材料により形成されていることが好ましい。
【００１６】
本発明によれば、配線が掛けられた部分が絶縁性材料により形成されているので、配線から第２スライダへの漏電の発生が防止される。
【００１７】
本発明において、前記Ｕ字状に折り曲げられた部分が１５ｍｍ以下の円弧を描くこと、が好ましい。
【００１８】
本発明によれば、Ｕ字状に折り曲げられた部分の半径が１５ｍｍ以下なので、画像読み取り装置を薄型化できる。
【００１９】
本発明において、前記インバータは、上方から見たときに前記第１スライダが通過する領域外に設置されることが好ましい。
【００２０】
本発明によれば、インバータを第１スライダが通過する領域外に設置することにより、インバータを第１スライダが通過する領域内に設置した場合よりも画像読み取り装置を薄型化できる。
【００２１】
本発明において、前記絶縁部材と前記配線との接触長さの変化量は、２００ｍｍであり、前記配線の太さは、２．５ｍｍ以下であり、前記配線の被膜の厚さは、０．７ｍｍ以下であり、前記絶縁部材の厚みが１ｍｍ以上１．５ｍｍ以下であることが好ましい。
【００２２】
本発明によれば、絶縁部材の厚みを１ｍｍ以上とすることにより、配線から本体の底面への漏電を効果的に抑制できる。更に、絶縁部材の厚みを１．５ｍｍ以下とすることにより、画像読み取り装置を薄型化できる。
【発明を実施するための最良の形態】
【００２３】
以下に、本発明の実施形態に係る画像読み取り装置について図面を参照しながら説明する。
【００２４】
（画像読み取り装置の概要について）
図１（ａ）は、本実施形態に係る画像読み取り装置の上視図である。図１（ｂ）は、Ａ−Ａにおける該画像読み取り装置の断面構造図である。該画像読み取り装置は、図１に示すように、キャビネット１、プラテンガラス２、インバータ３、第１スライダ４、第２スライダ５、光学ユニット６及び撮像素子７を備える。
【００２５】
キャビネット１は各種部材を格納する筐体である。プラテンガラス２は、キャビネット１の上部開口に、原稿を載置するために取り付けられる。このプラテンガラス２に対しては、読み取るべき画像を下向きにして原稿（不図示）がセットされる。インバータ３は、キャビネット１に固定的に設置され、高周波電圧を生成する回路である。インバータ３が固定される位置は、画像読み取り装置を上方から見た場合に、第１スライダ４が走査時に通過する領域外である。
【００２６】
第１スライダ４は、蛍光灯４１、反射鏡４２、第１ミラー４３及びフレーム４４を含む。蛍光灯４１は、前記インバータ３により電力の供給を受けて、プラテンガラス２上にセットされた原稿（被読み取り物）に光を照射する。反射鏡４２は、蛍光灯４１と対向する位置に設けられ、本のような立体物の陰に対しても光を照射できるように、蛍光灯４１からの光を反射する役割を果たす。第１ミラー４３は、原稿からの反射光を、側方に反射させて第２スライダ５へと導く。フレーム４４は、蛍光灯４１、反射鏡４２及び第１ミラー４３を保持する役割を果たし、金属板を屈曲して形成される。
【００２７】
第２スライダ５は、第２ミラー５１、第３ミラー５２及びフレーム５３（図１には記載せず）を含む。第２ミラー５１は、第１ミラー４３からの反射光を下方に反射させる。第３ミラー５２は、第２ミラー５１からの反射光を側方に反射させる。フレーム５３は、第２ミラー５１及び第３ミラー５２を保持する役割を果たし、金属板を屈曲させて形成される。
【００２８】
第１スライダ４は、図１に示す走査方向にキャビネット１内を速度Ｖで平行移動して、原稿を走査する。一方、第２スライダ５は、第１スライダ４と連動して、図１に示す走査方向に速度Ｖ／２で平行移動する。これにより、移動中における原稿面と撮像素子７との間の光の経路Ｌの長さが一定となる。この第２スライダ５は、第１スライダ４と略同じ位置から移動を開始する。これにより、光の経路Ｌを最短にすることができる。
【００２９】
光学ユニット６は、内部に複数のレンズを有しており、原稿からの反射光によって得られる光学像を撮像素子７に結像させる。撮像素子７は、一次元状の撮像領域を有し、光学ユニット６によって結像された光学像を撮像領域が延びる方向と直交する方向に走査して原稿像を読み取るＣＣＤ等のラインセンサ（読み取り手段）である。
【００３０】
以上のように構成された画像読み取り装置において、原稿の画像が読み取られる場合には、蛍光灯４１から発せられた光及び反射鏡４２によって反射された光が原稿に照射され、これによって得られた原稿からの光学像（反射光）が第１ミラー４３、第２ミラー５１及び第３ミラー５２によって順次反射される。そして、第３ミラー５２で反射された光学像は光学ユニット６内のレンズに入射し、この光学ユニット６内のレンズを透過した後、撮像素子７上で結像される。撮像素子７は、各々の画素ごとに入射光の強さに応じて光電変換を行い、これによって原稿画像に対応した画像信号（ＲＧＢ信号）を生成する。
【００３１】
（第１スライダ及び第２スライダの駆動部分の構成について）
図２は、画像読み取り装置の第１スライダ４及び第２スライダ５の斜視図である。図２には、第１スライダ４及び第２スライダ５の駆動部分に関する構成が記載されており、詳細には、第１スライダ４、第２スライダ５、レール８ａ，８ｂ，８ｃ，８ｄ、モータ９、ベルト１０、プーリ１１、シャフト１２、プーリ１３ａ，１３ｂ、プーリ１４ａ，１４ｂ及びワイヤ１５ａ，１５ｂが記載されている。
【００３２】
第１スライダ４は、前記の通り、蛍光灯４１、反射鏡４２、第１ミラー４３（図２では記載せず）及びフレーム４４を含む。フレーム４４の両端はそれぞれ、レール８ａ，８ｂにより支持されている。第２スライダ５は、第２ミラー５１、第３ミラー５２及びフレーム５３を含む。フレーム５３の両端はそれぞれ、レール８ｃ，８ｄにより支持されている。
【００３３】
レール８ａ〜８ｄは、キャビネット１の一部を構成し、走査方向に延びるように金属板を屈曲させて形成される。レール８ｃ，８ｄはそれぞれ、レール８ａ，８ｂの下段においてレール８ａ，８ｂの半分の長さで配置される。モータ９は、キャビネット１に固定されている。ベルト１０は、プーリ１１とモータ９の回転軸との間に張り渡されており、モータ９の駆動力をプーリ１１に伝達する。シャフト１２は、走査方向と垂直な方向に延びるように配置され、プーリ１１、プーリ１３ａ，１３ｂが取り付けられている。プーリ１３ａ，１３ｂはそれぞれ、レール８ａ，８ｂの走査方向の下流側の端部近傍に配置される。また、プーリ１４ａ，１４ｂは、レール８ａ，８ｂの走査方向の上流側の端部近傍に配置される。ワイヤ１５ａ，１５ｂはそれぞれ、プーリ１３ａ，１３ｂとプーリ１４ａ，１４ｂとの間に張り渡されている。そして、フレーム４４及びフレーム５３は、図示しない部材により、ワイヤ１５ａ，１５ｂに固定されている。
【００３４】
以上のような構成によれば、モータ９が駆動することにより、プーリ１１、プーリ１３ａ，１３ｂが回転し、ワイヤ１５ａ，１５ｂがプーリ１３ａ，１３ｂとプーリ１４ａ，１４ｂとの間で回転する。これにより、ワイヤ１５ａ，１５ｂに固定された第１スライダ４及び第２スライダ５がレール８ａ〜８ｄに沿って平行移動する。
【００３５】
（第１スライダ及び第２スライダのハーネスの引き回しについて）
図３及び図４は、右側のレール８ａ近傍における第１スライダ４及び第２スライダ５の拡大斜視図である。図３は、走査方向の下流側から見た斜視図であり、図４は、走査方向の上流側から見た斜視図である。図３及び図４では、図２と異なり駆動に関する構成であるワイヤ１５ａ，１５ｂ等は省略してある。その代わり、図３及び図４では、ハーネス１６、絶縁部材１７、支持部材５４及び折り返し部１８（図４では記載せず）が記載されている。
【００３６】
ハーネス１６は、第１スライダ４とインバータ３とを電気的に接続する配線であって、金属線が周囲に可撓性の絶縁材料により被覆されたものである。故に、ハーネス１６は、自在に撓むことが可能である。該ハーネス１６の一端は、蛍光灯４１のレール８ａ側の端４１ａに電気的に接続されている。そして、ハーネス１６は、図４に示すように、第１スライダ４の走査方向の上流側の部分４ａから第１スライダ４外に引き出されている。
【００３７】
第１スライダ４外に引き出されたハーネス１６は、走査方向の上流側に向かって第２スライダ５まで延びる。第２スライダ５のレール８ａ側の端には、絶縁性の樹脂により作製された支持部材５４が取り付けられている。この支持部材５４は、ハーネス１６をＵ字状に折り曲げて案内することにより、該ハーネス１６を第２スライダ５に掛ける役割を果たす。そのため、支持部材５４は、走査方向の上流側にＵ字状の曲面部分が位置するように‘Ｕ’が９０度回転させられた形状を有する。更に、支持部材５４の側面には、ハーネス１６が支持部材５４から外れないように側壁５４ａ，５４ｂが形成されている。なお、ハーネス１６は、支持部材５４に固定されずに掛けられているだけであり、該支持部材５４に対して摺動可能である。
【００３８】
支持部材５４にてＵ字状に折り曲げられたハーネス１６は、走査方向の下流側に向かって延びる。ハーネス１６と、キャビネット１の底面（図３及び図４では省略）との間には、絶縁性材料であるポリカーボネードにより作製された絶縁部材１７が設けられる。該絶縁部材１７は、レール８ａに沿って走査方向に延びるように設けられ、キャビネット１の底面とハーネス１６とが接触することを防止すると共に、ハーネス１６を直線状に案内する役割を果たす。
【００３９】
レール８ａの途中のキャビネット１の底面上には折り返し部１８が設けられている。ハーネス１６は、この折り返し部１８において、略９０度折り返されることにより、レール８ａとレール８ｂとに挟まれる領域外に導かれる。そして、ハーネス１６は、レール８ａとレール８ｂとに挟まれる領域外に設けられたインバータ３に対して電気的に接続される。以上のように、ハーネス１６は、第１スライダ４よりも走査方向の上流側に位置する第２スライダ５で折り返されることにより、第１スライダ４と折り返し部１８との間にＵ字状に張り渡されている。
【００４０】
（第１スライダ及び第２スライダの動作について）
図５及び図６は、図１（ａ）に示す画像読み取り装置のＢ−Ｂにおける断面構造図である。図５は、走査開始時における画像読み取り装置の断面構造図であり、図６は、走査終了時における画像読み取り装置の断面構造図である。
【００４１】
原稿の走査開始時には、第１スライダ４は、走査方向の最も上流側すなわち図５のプラテンガラス２の左端近傍に位置している。また、第２スライダ５も、第１スライダ４と略同じ位置から走査を開始する。
【００４２】
走査が開始すると、第１スライダ４は、速度Ｖで走査方向の上流側から下流側へと、ハーネス１６の一端を引っ張りながら平行移動する。更に第２スライダ５は、速度Ｖ／２で走査方向の上流側から下流側へと平行移動する。これにより、ハーネス１６が、Ｕ字状に折り曲げられた部分Ｕにおいて支持部材５４と摺動し、該Ｕ字状に折り曲げられた部分Ｕが、支持部材５４と共に第１スライダ４に追従して、速度Ｖ／２で走査方向の下流側へと平行移動する。その結果、走査が進むにつれ、ハーネス１６が上段へと巻き上げられていき、ハーネス１６と絶縁部材１７との接触長さが、短くなっていく。
【００４３】
図６に示すように、第１スライダ４が走査方向の最も下流側すなわちプラテンガラス２の右端近傍に到達すると、走査が終了する。このとき、第２スライダ５は、第１スライダ４の半分の速度で平行移動しているので、ハーネス１６のＵ字状に折り曲げられた部分Ｕは、プラテンガラス２の中心線近傍に位置している。従って、絶縁部材１７は、少なくとも、第２スライダ５の走査開始位置（プラテンガラス２左端）から走査終了位置（プラテンガラス２中心線）まで存在する必要がある。更に、折り返し部１８は、少なくとも、第２スライダ５の走査終了位置よりも走査方向の下流側に位置している必要がある。
【００４４】
以上のように、本実施形態に係る画像読み取り装置によれば、ハーネス１６とキャビネット１の底面との間に絶縁部材１７が設けられているので、ハーネス１６と該底面との間で漏電が発生しない。そのため、ハーネス１６と絶縁部材１７との接触長さが変化したとしても、蛍光灯４１に供給される電力が一定となる。その結果、画像読み取り装置において読み取られる画像データの画質を向上させることができる。
【００４５】
また、第１スライダ４及び第２スライダ５の走査開始位置を略同じにし、第２スライダ５の速度を第１スライダ４の速度の略半分にしているので、第１スライダ４から第２スライダ５を経由して折り返し部１８までの間の距離を常に一定に保つことができる。そのため、原稿の走査中において、Ｕ字状に二つに折り曲げられたハーネス１６が弛むことを防止できる。
【００４６】
また、インバータ３が、画像読み取り装置を上方から見た場合に、第１スライダ４が走査時に通過する領域外に設置されるので、インバータ３が、第１スライダ４に搭載されたり第１スライダ４が走査時に通過する領域内に設置されたりした場合よりも、画像読み取り装置の厚さを薄くできる。
【００４７】
また、支持部材５４を絶縁性材料により作製しているので、第２スライダ５のフレーム５３とハーネス１６との間で漏電が発生することを防止できる。
【００４８】
（実験結果）
本願発明者は、画像読み取り装置においてより好ましい設計値を求めるべく試作品を作製し、実験を行った。図７は、画像読み取り装置の試作品の概要を示した図である。
【００４９】
図７に示すように、前記試作品では、第１スライダ４が走査開始位置にあるときと走査終了位置にあるときとの接触長さの変化量を２００ｍｍとし、キャビネット１の厚みを７６ｍｍとした。また、ハーネス１６には、住友電気工業株式会社製のＵＬ  ＡＷＭ４４５３  １０ｋＶＤＣ  ＡＷＧ２３（７／２３／０．０５）×２ｃを用いた。このハーネス１６は、銅合金線の周囲に０．６３ｍｍの厚みの架橋難燃ポリオレフィンを被覆して、２．１ｍｍの太さとしたものである。
【００５０】
前記試作品において、第１スライダ４を走査終了位置に位置させた場合に対して、第１スライダ４を走査開始位置に位置させた場合に、原稿面に照射される光量がどれだけ変化するのかを、絶縁部材１７の厚みを変化させて調べた。図８は、絶縁部材１７の厚みと原稿面に照射される光量の変化量との関係を示したグラフである。図８において、横軸は絶縁部材１７の厚みを示しており、縦軸は原稿面に照射される光量の変化率を示している。図８での１００％とは、走査終了位置に第１スライダ４が位置しているときの光量を示す。
【００５１】
更に、絶縁部材１７とハーネス１６との接触長さを変化させたときに原稿面に照射される光量がどれだけ変化するのかを、絶縁部材１７の厚みを変化させて調べた。図９は、絶縁部材１７とハーネス１６との接触長さと原稿面に照射される光量の変化量との関係を示したグラフである。図９において、横軸は絶縁部材１７とハーネス１６との接触長さを示し、縦軸は原稿面に照射される光量の変化率を示している。
【００５２】
図８及び図９に示すように、絶縁部材１７の厚みを厚くすることにより原稿面に照射される光量の変化率が小さくなっていることが理解できる。ここで、一般的に、光量の変化率は、１．５％以内に抑制することが好ましいといわれている。従って、図８及び図９によれば、絶縁部材１７の厚みは１ｍｍ以上であることが好ましい。
【００５３】
一方、画像読み取り装置の薄型化の観点からは、絶縁部材１７の厚みをあまり厚くしすぎることは好ましくない。そこで、絶縁部材１７の厚みは、１．５ｍｍ以下であることが好ましい。
【００５４】
また、ハーネス１６がＵ字状に折り曲げられた部分Ｕは、半径が１０ｍｍ以上１５ｍｍ以下の円弧を描くことが好ましい。これは、半径が大きすぎると画像読み取り装置を十分に薄型化できず、半径が小さすぎると支持部材５４との摺動が円滑に行われなくなったり、ハーネス１６を痛めてしまったりするからである。
【００５５】
また、ハーネス１６の被覆の膜厚は、０．６ｍｍ以上０．７ｍｍ以下であることが好ましい。これは、膜厚が０．６ｍｍより小さくなると絶縁性が悪くなるので好ましくなく、膜厚が０．７ｍｍより大きくなると支持部材５４との摺動性が悪化するので好ましくないからである。
【００５６】
また、ハーネス１６の太さは、２．５ｍｍ以下であることが好ましい。これは、太さが２．５ｍｍより大きくなると、支持部材５４との摺動が円滑に行われないためである。
【図面の簡単な説明】
【００５７】
【図１】図１（ａ）は、本実施形態に係る画像読み取り装置の上視図である。図１（ｂ）は、Ａ−Ａにおける該画像読み取り装置の断面構造図である。
【図２】前記画像読み取り装置の第１スライダ及び第２スライダの斜視図である。
【図３】右側のレール近傍における第１スライダ及び第２スライダの拡大斜視図である。
【図４】右側のレール近傍における第１スライダ及び第２スライダの拡大斜視図である。
【図５】走査開始時における画像読み取り装置のＢ−Ｂ断面構造図である。
【図６】走査終了時における画像読み取り装置のＢ−Ｂ断面構造図である。
【図７】画像読み取り装置の試作品の概要を示した図である。
【図８】絶縁部材の厚みと原稿面に照射される光量の変化量との関係を示したグラフである。
【図９】絶縁部材とハーネスとの接触長さと原稿面に照射される光量の変化量との関係を示したグラフである。
【図１０】従来の画像読み取り装置の構成を示した図である。
【符号の説明】
【００５８】
１  キャビネット
３  インバータ
４  第１スライダ
５  第２スライダ
１６  ハーネス
１７  絶縁部材
１８  折り返し部
４１  蛍光灯
４２  反射鏡
４４，５３  フレーム
５４  支持部材
Ｕ  Ｕ字状に折り曲げられた部分
【図１】
2008129536.tif 000003
【図２】
2008129536.tif 000004
【図３】
2008129536.tif 000005
【図４】
2008129536.tif 000006
【図５】
2008129536.tif 000007
【図６】
2008129536.tif 000008
【図７】
2008129536.tif 000009
【図８】
2008129536.tif 000010
【図９】
2008129536.tif 000011
【図１０】
2008129536.tif 000012